(57)【要約】【課題】  木質の緻密な木材を使用し、表面の平滑度や光沢、文字等の彫り、漆の塗り等、全体に精密な仕上げを行うことにより、素朴で簡素なつくりでありながら、重厚で高級感があり、いわば工芸品のような付加価値の高い御守りを提供する。【解決手段】  御守り(P)は、材料として黒檀または紫檀を使用して直方体形状の基材をつくり、基材のおもて面(11)側に寺社の銘(13)を、裏面(16)側に祈願文(18)を表す文字部分(100)をレーザーによって表面を焦がして彫刻するようにし、彫刻した文字部分(100)に漆(102)を入れ、漆(102)が乾燥した後で表面に磨きをかけて漆(102)を整えるようにし、表面にワックスをかけて光沢を出すようにして得られる。【選択図】        図１
2005230470.tif 000002
【特許請求の範囲】
【請求項１】
木質の緻密な木を使用して所要形状の基材がつくられており、
基材の表面（ひょうめん）には寺社の銘または／及び祈願文を表す文字(13,18)がレーザーによって彫刻されており、
彫刻した部分に漆(102)を入れて得られたことを特徴とする、御守り。
【請求項２】
黒檀または紫檀を使用して所要形状の基材がつくられており、基材の表面（ひょうめん）には寺社の銘または／及び祈願文を表す文字(13,18)がレーザーによって彫刻されており、彫刻した部分(100)に漆(102)が入れられ、漆が乾燥した後で表面（ひょうめん）に磨きをかけて漆(102)が整えてあり、表面（ひょうめん）にワックスをかけて光沢を出して得られたことを特徴とする、御守り。
【請求項３】
基材の表面（ひょうめん）に寺社の銘または／及び祈願文を表す文字をレーザーによって彫刻するときに彫刻部の表面が焦がしてあることを特徴とする、
請求項１または２記載の御守り。
【請求項４】
携帯電話用のストラップとして使用するための掛け紐(2)が設けてあることを特徴とする、
請求項１、２または３記載の御守り。
【請求項５】
木質の緻密な木を使用して所要形状の基材をつくり、
基材の表面（ひょうめん）に寺社の銘または／及び祈願文を表す文字(13,18)をレーザーによって彫刻するようにし、
彫刻した部分(100)に漆(102)を入れるようにしたことを特徴とする、
御守りの製造方法。
【請求項６】
黒檀または紫檀を使用して所要形状の基材をつくり、
基材の表面（ひょうめん）に寺社の銘または／及び祈願文を表す文字(13,18)をレーザーによって彫刻するようにし、
彫刻した部分(100)に漆(102)を入れ、
漆が乾燥した後で表面（ひょうめん）に磨きをかけて漆(102)を整えるようにし、
表面（ひょうめん）にワックスをかけて光沢を出すことを特徴とする、
御守りの製造方法。
【発明の詳細な説明】
【技術分野】
【０００１】
本発明は、例えば神社仏閣等において発行される、災難から身を守るといわれる御守り及びその製造方法に関するものである。更に詳しくは、木質の緻密な木材を使用し、表面の平滑度や光沢、あるいは文字等の彫り、漆の塗り等、全体に精密な仕上げを行うことにより、素朴で簡素なつくりでありながら、重厚で高級感があり、いわば工芸品のような付加価値を高めたものに関する。
【背景技術】
【０００２】
災厄をよけて幸運をもたらすとされる御守りは、神などの超自然的存在の力を形象化したものということができ、古来より使用されてきた。従って、このような御守りは、多くは様々な神社仏閣（寺社）の銘で発行されており、それぞれが謳ういわゆる御利益を受けるための媒体としての役割を担っているともいえる。
【０００３】
また、御守りとなるものの材料には、実に様々なものが採用されている。例えば、石や宝石、貝殻、木や紙、布、プラスチック、金属などである。そして、これらを材料として様々な形状に加工し、例えば「○○○天満宮」、「△△△神社」、「□□□寺」などの神社仏閣の銘を入れ、あわせて「交通安全」、「学業成就」、「合格祈願」、「商売繁盛」などの祈願文を入れるなどして御守りとしていた。
そして、このような銘や祈願文は、所要形状の木板などの表面に簡単な印刷によって表されていた。
【発明の開示】
【発明が解決しようとする課題】
【０００４】
しかしながら、上記したようにしてつくられた従来の御守りには、次のような課題があった。
まず、特にプラスチックや金属でつくられたものは、その多くが安価に販売されることもあって、全体的につくりは整っていても仕上げが粗く、しかも銘や祈願文が印刷によって表されているため、御利益を謳うものにしては、いかにも安っぽく見えてしまうという課題があった。
また、木製のものでは、材料として安価な外材が使われることが多かった。スギなどの安価な国内産の木材が用いられることもあったが、いずれにしてもこれらは木質が比較的粗いために、表面の平滑度や光沢などが出しにくく、文字を彫って漆などで埋めても、漆が浮き上がったり、にじみが出て文字がはっきりと表れなかったりするなど、仕上げを精密に行うことは難しいという課題があった。
【０００５】
なお、本願発明者は、御守りに工芸品のような高級感を付与するために漆の使い方についても試行を重ねていたが、漆が木の焦げて炭化した部分と馴染みがよいことを見出し、漆を入れる部分に焦げた部分があれば、漆の乗りがよくなり、剥がれや浮き上がりが生じにくくなることを知見した。本願発明は、このような知見をもとに、上記課題を解決すべく成されたものである。
【０００６】
（本発明の目的）
本発明は、木質の緻密な木材を使用し、表面の平滑度や光沢、文字等の彫り、漆の塗り等、全体に精密な仕上げを行うことにより、素朴で簡素なつくりでありながら、重厚で高級感があり、いわば工芸品のような付加価値の高い御守り及びその製造方法を提供することを目的とする。
また、更に文字等の彫りに漆を入れる（塗る）際の漆の馴染み（乗り）をよくして、上記目的をより達成しやすくすることを目的とする。
【課題を解決するための手段】
【０００７】
上記課題を解決するために本発明が講じた手段は次のとおりである。
第１の発明にあっては、
木質の緻密な木を使用して所要形状の基材がつくられており、
基材の表面（ひょうめん）には寺社の銘または／及び祈願文を表す文字がレーザーによって彫刻されており、
彫刻した部分に漆を入れて得られたことを特徴とする、
御守りである。
【０００８】
第２の発明にあっては、
黒檀または紫檀を使用して所要形状の基材がつくられており、基材の表面（ひょうめん）に寺社の銘または／及び祈願文を表す文字がレーザーによって彫刻されており、彫刻した部分に漆を入れられ、漆が乾燥した後で表面（ひょうめん）に磨きをかけて漆が整えてあり、表面（ひょうめん）にワックスをかけて光沢を出して得られたことを特徴とする、
御守りである。
【０００９】
第３の発明にあっては、
基材の表面（ひょうめん）に寺社の銘または／及び祈願文を表す文字をレーザーによって彫刻するときに彫刻部の表面が焦がしてあることを特徴とする、
第１または第２の発明に係る御守りである。
【００１０】
第４の発明にあっては、
携帯電話用のストラップとして使用するための掛け紐が設けてあることを特徴とする、
第１、第２または第３の発明に係る御守りである。
【００１１】
第５の発明にあっては、
木質の緻密な木を使用して所要形状の基材をつくり、
基材の表面（ひょうめん）に寺社の銘または／及び祈願文を表す文字をレーザーによって彫刻するようにし、
彫刻した部分に漆を入れるようにしたことを特徴とする、
御守りの製造方法である。
【００１２】
第６の発明にあっては、
黒檀または紫檀を使用して所要形状の基材をつくり、
基材の表面（ひょうめん）に寺社の銘または／及び祈願文を表す文字をレーザーによって彫刻するようにし、
彫刻した部分に漆を入れ、
漆が乾燥した後で表面（ひょうめん）に磨きをかけて漆を整えるようにし、
表面（ひょうめん）にワックスをかけて光沢を出すことを特徴とする、
御守りの製造方法である。
【００１３】
御守りの基材である木質の緻密な木とは、黒檀や紫檀の他、例えば柘植、檜等であるがこれらに限定はされない。
御守りの基材の形状は特に限定しないが、例えば球形状、楕円球形状、直方体状、いわゆるハート形の板状体、円形その他、各種形状の板状体等である。また、基材の大きさも特に限定しない。
【００１４】
寺社の銘または／及び祈願文が表される部分は、基材の表面のうちどの面（部分）でもよく、特に限定するものではない。例えば、基材が直方体であれば、おもて面、裏面、側面等である。また、寺社の銘と祈願文は、それぞれ異なる面に表してもよいし、同じ面に表してもよい。
更に、基材の表面に表されるものは、銘と祈願文に限定されるものではなく、例えば神紋等の紋章、各種絵模様あるいは氏名等を表すこともできる。また、銘と祈願文は両方を表すこともできるし、いずれか一方を表すこともできる。
なお、特許請求の範囲及び明細書において、「表面」の用語は「ひょうめん」を意味し、「おもて面」の用語とは区別して使用している。
【００１５】
御守りの形態（販売形態を含む）は特に限定しないが、例えばキーホルダー、携帯電話用のストラップ等である。なお、これらを木箱等の容器に入れて販売することもできる。
【００１６】
使用される漆は、通常は黒色や朱色あるいは茶色に着色されるが、これらの色に限定はされない。例えば、金色、銀色等も採用可能である。
【００１７】
基材の表面に磨きをかける方法としては、通常は研磨布紙（サンドペーパーともいう）を使用して研磨する方法が採用されるが、他の公知手段を採用することもできる。なお、研磨布紙の研磨材の粒度は特に限定するものではないが、表面の平滑度を上げるには、より細かなものを採用するのが好ましい。
【００１８】
（作用）
本発明に係る御守りの作用を説明する。
御守りは、基材の材料として、例えば木質が極めて緻密であり比重も大きく硬い黒檀または紫檀を使用する。基材は、切断や切削等により加工され、所要形状に成形されている。
黒檀または紫檀の色は、薄茶色のいわゆる木色ではなく、黒色または濃茶色であり、見た目に重厚な印象を与えることができる。
【００１９】
また、基材は上記したように木質が極めて緻密であり比重も大きく硬いので、手にとって触れたときに、意外なほどの重さと滑らかな感触がある。更に、切断や切削等によって加工するときに精密な仕上げが可能となり、例えば表面の平滑度や角部の立ちなどに優れ、次に説明する文字の彫刻においても角部の潰れや欠けなどが起こりにくい。
【００２０】
また、基材の表面に表される、取り扱う寺社の銘または／及び祈願文を表す文字は、レーザーによって彫刻されている。レーザーによる彫刻は、通常はコンピュータ制御によって行われ、狂いのない正確で精密な彫刻が可能である。
高エネルギー光であるレーザーは、基材の表面を焦がして彫刻することができる。この場合、彫刻部分の表面は焦げて一部炭化する。表面の炭化した部分は、極めて微細な孔を無数に有しており、漆とよく馴染み、漆の乗りがよい。
【００２１】
また、基材は漆で覆われた文字の部分を除けば、表面から大気中の水分を吸収できるが、一旦基材中に取り込まれた水分は容易には大気中に放出されない。漆は、湿度が高いほどよく乾燥する特異な性質を有しており、漆を単に木質の表面に塗った場合では、上記理由から漆の裏側が湿気にさらされ、極端に乾燥してしまうおそれもある。
本願発明のように、漆と木質分部分の間に炭化した部分があることにより、湿気を保持して止めることができ、漆が彫りの裏側から湿気にさらされることを防止できる。
これによって、漆の裏側が極端に乾燥してしまうこともなく、漆の剥がれや浮き上がりなども起こりにくい。
【００２２】
彫刻した部分に入れられた漆が乾燥した後には、表面に磨きがかけられ、彫刻部分からの漆のはみ出し分や、彫刻部分以外の部分への付着分（いわゆる汚れ）などが取り除かれる。このようにして、漆は彫刻部分内にきれいに収まるよう整えられている。
これによって、表面的には漆で表される文字と他の表面との境界部が鮮明になり、寺社の銘や祈願文を表す文字が認識しやすくなっている。
【００２３】
そして、最後に、表面にワックスがかけられて光沢が付与されている。なお、ワックスは、黒檀または紫檀特有の木質の触感を損なうことがないように、表面の微細な凹凸を本質的に残すことができる限度で使用される。
上記構成により、本発明に係る御守りは、見た目にも、あるいは手にとって触れたときにも、いわば工芸品のような重厚かつ高級な印象を与えることができる。
【発明の効果】
【００２４】
（ａ）本発明に係る御守りは、基材の材料として、黒檀または紫檀を使用しており、色が薄茶色のいわゆる木色ではなく、黒色または濃茶色であり、見た目に重厚な印象を与えることができる。また、上記したように木質が極めて緻密であり比重も大きく硬いので、手にとって触れたときに、意外なほどの重さと滑らかな感触がある。更に、切断や切削等によって加工するときに精密な仕上げが可能となり、例えば表面の平滑度や角部の立ちなどに優れ、文字の彫刻においても角部の潰れや欠けなどが起こりにくい。重ねて、表面にワックスがかけられて光沢が付与されているので、いわば工芸品のような、重厚で高級な印象を与えることができ、付加価値の高い御守りを提供できる。
【００２５】
（ｂ）基材の表面に表される寺社の銘または／及び祈願文を表す文字は、レーザーによって彫刻されており、彫刻部分の表面を焦がして一部炭化させることができる。この場合、表面の炭化した部分は、極めて微細な孔を無数に有しており、漆とよく馴染み、漆の乗りがよい。また、漆と木質分部分の間に炭化した部分があることにより、木質部分からの湿気を保持して止めることができ、漆が彫りの裏側から湿気にさらされることを防止できる。これによって、湿度が高いほど乾燥しやすい漆の裏側が極端に乾燥してしまうこともなく、漆の剥がれや浮き上がりなども起こりにくい。
【００２６】
（ｃ）彫刻した部分に入れられた漆が乾燥した後には、表面に磨きがかけられ、彫刻部分からの漆のはみ出し分や、彫刻部分以外の部分への付着分（いわゆる汚れ）などが取り除かれるので、表面的には漆で表される文字と他の表面との境界部が鮮明になり、寺社の銘や祈願文を表す文字が認識しやすくなる。
【発明を実施するための最良の形態】
【００２７】
本発明を図に示した実施例に基づき詳細に説明する。
【実施例】
【００２８】
図１は本発明に係る御守りの正面側斜視図、
図２は本発明に係る御守りの背面図、
図３は図２におけるＡ−Ａ部拡大部分断面図である。
【００２９】
御守りＰは、基材で構成された本体１と掛け紐２からなり、携帯電話用のストラップとして使用されるものである。
本体１は、材料として紫檀を使用しており、全体の形状は直方体形状である。本体１の寸法は、縦４０ｍｍ、横１４ｍｍ、厚さ６ｍｍである。本体１の寸法は、これに限定するものではなく、御守りＰの形態あるいは使用目的等に応じて適宜設定されるものである。
【００３０】
本体１のおもて面１１側には、おもて面１１の縁にほぼ沿うように四角形状に枠線１２が設けられている。枠線１２は浅い溝部で形成されている。
枠線１２の内側には、下部側に「○○○天満宮」の神社の銘１３が表されており、上部側にその神社の神紋１４が表されている。銘１３と神紋１４は、勘亭流の字体で文字を彫った部分に朱色の漆を入れて表してある。勘亭流の字体は、肉太で丸みを帯び、落ち着いた雰囲気があるので、御守りに表す文字として好適である。なお、他の字体で表すこともできるのはいうまでもない。銘１３と神紋１４の文字の表し方については、後述する製造方法の説明で詳述する。
【００３１】
本体１のうち、枠線１２から外れた上部側には、円形の貫通孔１５が設けられている。貫通孔１５は、掛け紐２を取り付けるためのものである。掛け紐２は、ループ状の紐体２０の基端部に、同じくループ状のチェーン２１を設けた構造である。掛け紐２は、チェーン２１を貫通孔１５に通して取り付けられている。
【００３２】
本体１の裏面１６側には、おもて面１１側と同様に、裏面１６の縁にほぼ沿うように四角形状に枠線１７が設けられている。枠線１７は浅い溝部で形成されている。
枠線１７の内側には、「学業成就」の祈願文１８が表されている。
なお、本実施例では表していないが、おもて面１１と裏面１６以外の側面（符号省略）に文字や神紋（紋章）、その他を表すこともできる。
【００３３】
図１ないし図３を参照し、御守りＰの製造方法を説明する。
（１）紫檀の材を加工し、上記寸法の直方体状の基材（符号省略）をつくる。基材に以下のような加工を施して本体１を形成する。
（２）基材のおもて面１１となる側に、レーザー加工によって枠線１２を形成する。
（３）枠線１２の内側に、コンピュータ制御されたレーザー加工によって神紋１４及び銘１３となる文字（符号省略）を彫刻する。銘１３となる文字は、勘亭流の字体で彫刻する。
【００３４】
（４）彫刻された文字部分１００の表面はレーザーの高温で焦がしてあり、煤状の粉も付着しているので、必要に応じて刷毛などで払い落としたり吸引して表面から取り除く。一部の焦げた部分１０１は、彫刻された文字部分１００の表面に残る（図３参照）。
（５）基材の裏面１６となる側に、上記（２）〜（４）とほぼ同様の工程で、枠線１７と、祈願文１８となる勘亭流の文字を彫刻する。また、枠線１２、１７と外れた部分に貫通孔１５をドリルで形成する。
【００３５】
（６）神紋１４及び銘１３、祈願文１８となる彫刻された文字部分１００の表面に朱色の漆１０２を入れる。漆１０２は、全体におもて面１１及び裏面１６より低くなるように入れられる。
（７）漆１０２が後の加工に支障のないところまで乾いたら、基材の表面をサンドペーパーで研磨する。研磨する面は、少なくともおもて面１１と裏面１６であるが、他の面も同様に研磨することができる。
【００３６】
（８）基材の研磨したおもて面１１と裏面１６を含む全表面にワックスをかけ、表面に光沢を付与する。ワックスは、紫檀特有の木質の触感を損なうことがないように、表面の微細な凹凸を本質的に残すことができる限度で使用される。
（９）別に用意した掛け紐２を本体１の貫通孔１５に通して取り付ける。これにより、本発明に係る御守りＰが得られる。
なお、本実施の形態では、本体１の材料として紫檀を使用したが、黒檀も同様に使用して御守りＰを製造することができる。
【００３７】
（作用）
本発明に係る御守りＰの作用を説明する。
御守りＰは、本体１の材料として、木質が極めて緻密であり比重も大きく硬い紫檀を使用しているので、本体１の色が薄茶色のいわゆる木色ではなく、赤みを帯びた濃茶色であり、見た目に重厚な印象を与えることができる。
【００３８】
また、手にとって触れたときに、意外なほどの重さと滑らかな感触（触感）がある。更に、本体１を構成する基体を切断や切削等によって加工するときに精密な仕上げが可能となり、例えば表面の平滑度や角部の立ちなどに優れ、文字部分１００の彫刻においても角部の潰れや欠けなどが起こりにくい。
【００３９】
レーザーは、基材の表面を焦がして彫刻できる。この場合、彫刻される文字部分１００の表面は焦げて一部炭化する。表面の焦げた部分１０１は、極めて微細な孔を無数に有しており、漆１０２と漆とよく馴染み、漆の乗りがよい。
【００４０】
また、漆１０２と木質分部分の間に焦げた部分１０１があることにより、湿気を保持して止めることができ、漆１０２が裏側の木質部分に吸収された湿気にさらされることを防止できる。これによって、神紋１４、銘１３、祈願文１８などを構成する漆１０２の裏側が極端に乾燥してしまうこともなく、漆１０２の剥がれや浮き上がりなども起こりにくい。
【００４１】
表面の研磨作業によって、彫刻された文字部分１００からの漆１０２のはみ出し分や、文字部分１００以外の部分への付着分（いわゆる汚れ）などが取り除かれるので、漆１０２は文字部分１００内にきれいに収まるよう整えられる。これによって、表面的には漆１０２で表される文字とおもて面１１や裏面１６との境界部が鮮明になり、銘１３や祈願文１８がかなり小さい文字であっても認識しやすくなる。
【００４２】
そして、最後に表面にワックスがかけられ、光沢が付与された上記構成によれば、本発明に係る御守りＰは、見た目にも、あるいは手にとって触れたときにも、いわば工芸品のような重厚かつ高級な印象を与えることができる。
【００４３】
図４は御守りの販売時の形態を示し箱の蓋を外した状態の説明図である。
御守りＰは、桐製の平箱３に収容されている。平箱３は容器３０と蓋３１からなり、容器３０内には敷き布３２が敷かれている。御守りＰは、祈願文１８が表してある裏面１６側が見えるようにして、本体１に透明なゴム糸３３を回し掛けて敷き布３２に固定されている。
また、敷き布３２には、おもて面に上記銘１３と同じ文字の銘その他を表した紙製の札３５が乗せられている。なお、蓋３１の上面には上記銘１３と同じ文字を表した銘３４が印刷により表されている。
上記形態は、御守りＰを販売するときの一形態であり、このような箱入のものの他、袋入や、包装をしないバラ売りなど、様々な形態が採用できる。
【００４４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４５】
【図１】本発明に係る御守りの正面側斜視図。
【図２】本発明に係る御守りの背面図。
【図３】図２におけるＡ−Ａ部拡大部分断面図。
【図４】御守りの販売時の形態を示し箱の蓋を外した状態の説明図。
【符号の説明】
【００４６】
Ｐ  御守り
１  本体
１１  おもて面
１２  枠線
１３  銘
１４  神紋
１５  貫通孔
１６  裏面
１７  枠線
１８  祈願文
１００  文字部分
１０１  焦げた部分
１０２  漆
２  掛け紐
２０  紐体
２１  チェーン
３  平箱
３０  容器
３１  蓋
３２  敷き布
３３  糸
３４  銘
３５  札
【図１】
2005230470.tif 000003
【図２】
2005230470.tif 000004
【図３】
2005230470.tif 000005
【図４】
2005230470.tif 000006